【事件の表示】
　特許第３２３４８３２号「閃光発光制御装置」の請求項１ないし５に係る特許に対する特許異議の申立てについて、次のとおり決定する。
【結　論】
　訂正を認める。
　特許第３２３４８３２号の請求項１、２に係る特許を取り消す。
　同請求項３、４に係る特許を維持する。
【理　由】
１．手続の経緯
　本件特許第３２３４８３２号の発明は、平成４年１月３１日に特許出願され、平成１３年９月２１日にその特許の設定登録がなされたものであり、その後、富岡　康之より特許異議の申立てがなされ、取消理由通知がなされ、その指定期間内に特許異議意見書が提出され、その後再度取消理由通知がなされ、その指定期間内の平成１５年１月２７日付けで訂正請求がなされたものである。
　
２．訂正の適否についての判断
（１）［訂正の内容］
　訂正請求書による訂正事項は次のとおりである。
訂正事項ａ
　特許請求の範囲の減縮を目的として、特許請求の範囲の請求項１中の「測距手段からの距離情報に基づいてストロボ発光時の発光量を演算する」を「測距手段からの距離情報に基づいて、距離情報とストロボ発光時の発光量を対応させたテーブルを参照して発光量を演算する」に、そして、「所定の基準発光量と前記距離情報に基づいて」を「所定の基準発光量と前記測距手段からの距離情報に基づいて」に、それぞれ訂正する。
訂正事項ｂ
　特許請求の範囲の減縮を目的として、特許請求の範囲の請求項１中の「前記所定の基準発光量と前記発光量演算手段にて演算された発光量との関係に応じて決定される量」を「前記所定の基準発光量と前記発光量演算手段にて演算された発光量との差分に応じた量」に訂正する。
訂正事項ｃ
　請求項２を削除し、以下項数を繰り上げて、請求項２、３、４と訂正すると共に、請求項４中の「請求項３記載」を「請求項２記載」に、請求項５中の「請求項４記載」を「請求項３記載」に、それぞれ訂正する。
訂正事項ｄ
　上記訂正事項ａ〜ｃに伴い、特許請求の範囲の請求項１〜４の記載と発明の詳細な説明の記載との整合を図るため、明りようでない記載の釈明を目的として、本件明細書の【００１１】中の「測距手段からの距離情報に基づいてストロボ発光時の発光量を演算する発光量演算手段と、所定の基準発光量と前記距離情報に基づいて絞り値情報を求めると共に、前記所定の基準発光量と前記発光量演算手段にて演算された発光量との関係に応じて決定される量、前記絞り値情報を変更する」を「測距手段からの距離情報に基づいて、距離情報とストロボ発光時の発光量を対応させたテーブルを参照して発光量を演算する発光量演算手段と、所定の基準発光量と前記測距手段からの距離情報に基づいて絞り値情報を求めると共に、前記所定の基準発光量と前記発光量演算手段にて演算された発光量との差分に応じた量、前記絞り値情報を変更する」に訂正する。そして、【００１２】中の「請求項３」を「請求項２」に訂正し、【０１４２】中の「請求項１、２」を「請求項１」に、「請求項３」を「請求項２」に、「請求項４」を「請求項３」に、「請求項５」を「請求項４」に、それぞれ訂正する。
　
（２）［訂正の範囲の適否、拡張・変更の存否］ 
　訂正事項ａについては、請求項１に記載された発光量演算手段を、測距手段からの距離情報に基づいて、距離情報とストロボ発光時の発光量を対応させたテーブルを参照して発光量を演算するものに限定しようとするものである。
　「距離情報とストロボ発光時の発光量を対応させたテーブルを参照して」という点は、本件明細書の【００３３】中の「例えば、測距装置１からの被写体距離情報が「１２ｍ」の場合には、先ず図９（ａ）のテーブルを参照して距離コードを「４」とし、又この時のＧｎｏを図９（ｂ）のテーブルを参照して「２５」とする。」及び図９などから直接的かつ一義的に導き出せるものである。
　訂正事項ｂについては、訂正前の請求項１の「所定の基準発光量と……演算された発光量との関係に応じて決定される量」を訂正前の請求項２の「所定の基準発光量と……演算された発光量との差分に応じた量」に限定しようとするものである。
　訂正事項ｃは、請求項２の削除に応じた訂正である。
　訂正事項ｄは、訂正事項ａ〜ｃと整合させるための訂正である。
よって、訂正事項ａ〜ｄは、特許請求の範囲の減縮及び明りようでない記載の釈明を目的とするものである。
　そして、訂正事項ａ〜ｄは、願書に添付した明細書又は図面に記載した事項の範囲内の訂正であり、実質上特許請求の範囲を拡張し、又は変更するものでもない。
（３）［結び］
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書、第２項及び第３項の規定に適合するので、当該訂正を認める。
　
３．特許異議の申立てについて
（１）［申立ての理由の概要］
　特許異議申立人富岡　康之は、下記甲第１〜５号証を提出し、請求項１に係る発明は甲第１号証記載の発明と、請求項３に係る発明は甲第２号証記載の発明と同一であり、また、請求項１〜５に係る発明は甲第１〜５号証記載の発明に基づいて当業者が容易に発明をすることができたものであるから、請求項１、３に係る発明の特許は、特許法第２９条第１項３号の規定に違反してされたものであり、　また、請求項１〜５に係る発明の特許は、特許法第２９条第２項の規定に違反してされたものであるから取り消すべき旨主張している。
　甲第１号証：特開平３−１４９５３５号公報
　甲第２号証：特開平３−１５４０４３号公報
　甲第３号証：特開昭５６−９７３３１号公報
　甲第４号証：特開平２−２０８３８号公報
　甲第５号証：特開昭６２−１５１８２８号公報
　
（２）［本件発明］
　特許第３２３４８３２号の請求項１〜４係る発明（以下、「本件発明１〜４」という。）は、平成１５年１月２７日付けの訂正明細書の特許請求の範囲の請求項１〜４に記載された事項により特定される次のとおりのものである。
「【請求項１】測距手段からの距離情報に基づいて
、距離情報とストロボ発光時の発光量を対応させたテーブルを参照して
前記測距手段からの
差分に応じた
【請求項
２
【請求項
３
２
【請求項
４
３
　
（３）［当審が通知した取消しの理由に引用された刊行物］
　当審が通知した平成１４年１１月１４日付けの取消しの理由に引用された
　刊行物１：特開昭４９−２７２２３号公報には、
　「本発明はガイドナンバー即ちフラツシユの発光量を可変にしてフラツシユ撮影可能範囲を広くし、しかも絞りを自動的に設定し得る極めて使い易いフラツシユオート装置を得ることを目的とする。」（第２頁左上欄第３行〜第６行）、
　「本発明はこの場合にガイドナンバーを距離に応じて変化させるようにしたもので、破線Ｃで示す如く直線的に変化させても又は鎖線Ａ，Ｂで示す如く段階的に変化させることも出来る。」（第２頁右上欄第４行〜第８行）、
　「切替リング２１の目盛Ａが・・・、目盛Ｆが指標２２に合致する位置ではスイツチＳＡが開いてスイツチＳＦが閉じ、可変抵抗ＶＲ１がメーター１５及び電源Ｅ２に接続する。距離リング２３を回して距離合せを行うと可変抵抗ＶＲ２の抵抗値は距離に応じて変化しメーター指針１５は距離に応じた位置に振れることになる。レリーズレバー１を押すと走査部材７が指針の振れ位置を走査し、これによって絞りリングの回動量が決つて絞りがＥＥ撮影と同様に自動的に決定する。この時距離リング２３の回動によつて可変抵抗ＶＲ２の抵抗値も同時に変化し第３図に於けるＣ２、ＶＲ２から成る時定数回路の時定数を変化させフラツシユのガイドナンバーを距離に応じて変化させることが出来る。」（第２頁右下欄第２行〜第３頁左上欄第３行）、
　「上述の様に本発明は距離合せに連動して絞りを自動的に決めると同時にフラツシユの発光量を距離に応じて変化させるようにしたから撮影可能範囲が広く、しかも操作の容易なフラツシユオート撮影装置が得られる。」（第３頁右上欄第１行〜第５行）
が記載されている。
　
　当審が通知した平成１４年８月５日付けの取消しの理由に引用された
　刊行物２：特開平３−１５４０４３号公報（甲第２号証）には、
　「第１の発明は、ストロボ光を投射するストロボ発光手段と、絞り値を複数段階に調整する有限段階絞りとを備えたカメラにおいて、被写体までの距離を測定する測距手段、および上記測距手段により測定された被写体までの距離と上記有限段階絞りに設定された絞り値とに応じて上記ストロボ発光手段の閃光時間を制御する手段を備えていることを特徴とする。」（第２頁右下欄第５行〜第１２行）が記載されている。
　
（４）［対比・判断］
　［本件発明１について］
　本件発明１と刊行物１に記載された発明を対比すると、刊行物１の「フラッシュの発光量」、「距離リング２３の回動によって可変抵抗ＶＲ２の抵抗値も同時に変化しＣ２、ＶＲ２から成る時定数回路の時定数を変化させフラッシュのガイドナンバーを距離に応じて変化させる」は、本件発明１の「ストロボ発光時の発光量」、「測距手段からの距離情報に基づいてストロボ発光時の発光量を演算する」に相当するから、両者は、
　「測距手段からの距離情報に基づいてストロボ発光時の発光量を演算する発光量演算手段を備えた閃光発光制御装置。」である点で一致し、
　前者が、「距離情報とストロボ発光時の発光量を対応させたテーブルを参照して発光量を演算する発光量演算手段」を備えているのに対して、後者は、距離情報からストロボ発光時の発光量を演算する際にテーブルを参照する構成を備えていない点（相違点１）、
　前者が「所定の基準発光量と前記距離情報に基づいて絞り値情報を求めると共に、前記所定の基準発光量と前記発光量演算手段にて演算された発光量との差分に応じた量、前記絞り値情報を変更する変更手段」を備えているのに対して、後者はそのような構成を有していない点（相違点２）の２点で相違する。
　次に、上記相違点について検討する。
［相違点１について］
　特許権者は、平成１５年１月２７日付けの特許異議意見書中で、『「近距離にいる人間を撮影する場合はガイドナンバを低下させる」閃光発光制御と、「近距離の被写体を撮影する際には被写界深度を深くする」閃光発光制御とは、被写体が近距離にいる場合の発光量が大きく異なるものであるが、これらの切り換えは、距離情報とストロボ発光時の発光量を対応させたテーブル値を変更するだけで容易に達成することができる。」と主張するが、この「テーブル値の変更」という技術思想は、請求項１には表現されてはいないから、前記主張は、請求項１の記載に基づかない主張であり採用することができない。
　そして、ストロボ装置を有するカメラにおいては、露出制御に関する演算をＣＰＵで行うに際して、ＣＰＵに内蔵されたメモリに格納された式やテーブルを用いることは周知（例えば、特開平３−１４１３３２号公報、特開昭６３−２５７７３０号公報等参照）であるから、演算に際してテーブルを用いるという技術思想を刊行物１記載の発明に適用して本件発明１のように構成することは必要に応じて任意に採用しうる設計的事項に属するものと認められる。よって、この相違点は格別なものとはならない。
［相違点２について］
　本件発明１の「所定の基準発光量」は特に定義されたものではなく、当該ストロボ装置のフル発光から最低発光可能な範囲における所定の値の発光量を特定するにとどまるものと認められる。ところで、刊行物１においては、第５図に示される線図からも明らかなように、例えば、関数を表す線Ａ、Ｂ、Ｃ等に基づき距離情報から直ちにガイドナンバーが決定されると共に、絞りも決定される。これに対して本件発明１においては、最終的な絞り値を求める前に、予め、基準発光量と測定手段からの距離情報とから絞り値を求めておき、その後、距離情報から求められた発光量と所定の基準発光量との差分等の関係に応じて前記絞り値を変更する。しかしながら、刊行物１のもののように距離情報とこれに対応する発光量から絞り値を直接的な手法により求めるというものに対して、本願発明１のように最終的なストロボ発光時の絞り値を求める前に仮の絞り値を求め、ストロボ発光時の絞り値を間接的な手法により求めるものであるということに起因して格別な作用効果を新たに奏するとは認めることができない。
　よって、この相違点は格別なものであるとは認めることができない。
　したがって、本件発明１は、刊行物１に基づいて当業者が容易に発明をすることができたものであり、本件発明１の特許は、特許法第２９条第２項の規定に違反してなされたものである。また、前記各相違点を総合的に検討しても奏される効果は当業者が当然予測できる範囲内のものと認められる。
　［本件発明２について］
　本件発明２と甲第２号証に記載の発明とを対比すると、甲第２号証の「被写体までの距離」、「有限段階絞りに設定された絞り値」は、本件発明１の「測距手段からの距離情報」、「最小絞りより大きく、最大絞りよりも小さな所定の絞り値」に相当するから、両者は、
　「測距手段からの距離情報と、最大絞りよりも小さな所定の絞り値とによりストロボ発光量を決定する発光量算出手段とを備えた閃光発光制御装置」  である点で一致し、
　前者が、「測距手段からの距離情報と、予め定められた所定のストロボ発光量とに基づいてストロボ発光時の絞り値を算出する絞り演算手段と、該絞り演算手段により求められた絞り値と、最小絞りより大きく、かつ、最大絞りよりも小さな所定の絞り値との差分を算出し、この差分に相当する量、前記予め定められたストロボ発光量に補正を加え、」という構成を備えているのに対して、後者は、本件発明２のように、絞り演算手段により求められた絞り値と所定の絞り値との差分に相当する量、ストロボ発光量に補正を加えるという手法を採用していない点で一応相違する。
　次に、この相違点について検討する。
　特許権者は、平成１４年１０月１５日付けの特許異議意見書において、
　『刊行物２に記載のものと請求項３に係る本件特許発明との差異は、刊行物２では「上述の式」にしたがって発光量を決定するのに対し、請求項３に係る本件特許発明では、先に絞り値を演算し、この絞り値が所定の絞り値と異なる時にその差分に相当する量、予定の発光量を補正する点であって、発光量の補正という技術思想において両者は大きく相違するのである。』と主張をしている。（前記主張において、「請求項３」は、「本件発明２」に対応し、「刊行物２」は、「甲第２号証」に対応する。）
　ところで、本件発明２においては、実際にストロボ発光する時の発光量を求める前に、測距手段からの距離情報と、予め定められた所定のストロボ発光量とに基づいてストロボ発光時の絞り値を算出する絞り演算手段により仮に絞り値を求めているが、実際のストロボ発光時の発光量は、この仮の絞り値と所定の絞り値とを比較した場合の大小に依存することなく、すべての場合において距離情報と所定の絞り値とから一義的に決定されるものであるから、前記主張に係る「発光量の補正という技術思想」は技術的に格別意味があるとは認められないものであって、前記主張は採用できないものである。
　よって、この相違点は格別なものであるとは認めることができない。
　したがって、本件発明２は、甲第２号証に基づいて当業者が容易に発明をすることができたものであり、本件発明２の特許は、特許法第２９条第２項の規定に違反してなされたものである。
　［本件発明３について］
　本件発明３と甲第２号証に記載の発明とを対比すると、甲第２号証に記載の発明は、本件発明３を特定する事項である、「前記演算された絞り値が前記所定の絞り値よりも大きい場合は、前記演算された絞り値を撮影用絞り値として決定し、前記演算された絞り値が前記所定の絞り値よりも小さい場合は、前記所定の絞り値を撮影用絞り値として決定する絞り決定手段」という構成を備えておらず、当該事項により本件発明３は、所定絞りに対するストロボ発光量の調整で対応が可能か否かという判断ができるという顕著な効果を奏するものであるから、本件発明３は、甲第２号証記載の発明に基づいて当業者が容易に発明をすることができたものであるとは認められない。
　また、前記相違点に係る構成は、刊行物１または異議申立人の提出した他の証拠のいずれにも記載されていないから、本件発明３は、刊行物１、甲第１〜５号証に記載された発明に基づき、当業者が容易に発明することができたとも認めることはできない。
　したがって、本件発明３は、特許法第２９条第２項の規定に違反してなされたものではない。
［本件発明４について］
　本件発明４は、本件発明３の構成要件を全て含み、さらに他の構成要件を付加したものに相当するから、本件発明３について説示したのと同様の理由により、本件発明４は、甲第２号証記載の発明に基づいて当業者が容易に発明をすることができたものであるとは認められない。
　また、本件発明４は、刊行物１、甲第１〜５号証に記載された発明に基づき、当業者が容易に発明することができたとも認めることはできない。
　したがって、本件発明４は、特許法第２９条第２項の規定に違反してなされたものではない。
　
（５）［結び］
　以上のとおり、本件発明１、２は、特許法第２９条第２項の規定により特許を受けることができないものであるから、本件発明１についての特許は、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、取り消されるべきものである。
　また、本件発明３、４についての特許を取り消すべき理由を発見しない。
　よって、結論のとおり決定する。
【異議決定日】
平成１５年３月３日（２００３．３．３）
【訂正の要旨】
▲１▼　訂正事項ａ
　特許請求の範囲の減縮を目的として、特許請求の範囲の請求項１中の「測距手段からの距離情報に基づいてストロボ発光時の発光量を演算する」を「測距手段からの距離情報に基づいて、距離情報とストロボ発光時の発光量を対応させたテーブルを参照して発光量を演算する」に、そして、「所定の基準発光量と前記距離情報に基づいて」を「所定の基準発光量と前記測距手段からの距離情報に基づいて」に、それぞれ訂正する。
▲２▼　訂正事項ｂ
　特許請求の範囲の減縮を目的として、特許請求の範囲の請求項１中の「前記所定の基準発光量と前記発光量演算手段にて演算された発光量との関係に応じて決定される量」を「前記所定の基準発光量と前記発光量演算手段にて演算された発光量との差分に応じた量」に訂正する。
▲３▼　訂正事項ｃ
　請求項２を削除し、以下項数を繰り上げて、請求項２，３，４と訂正すると共に、請求項４中の「請求項３記載」を「請求項２記載」に、請求項５中の「請求項４記載」を「請求項３記載」に、それぞれ訂正する。
▲４▼　訂正事項ｄ
　上記訂正事項ａ〜ｃに伴い、特許請求の範囲の請求項１〜４の記載と発明の詳細な説明の記載との整合を図るため、明りょうでない記載の釈明を目的として、本件明細書の【００１１】中の「測距手段からの距離情報に基づいてストロボ発光時の発光量を演算する発光量演算手段と、所定の基準発光量と前記距離情報に基づいて絞り値情報を求めると共に、前記所定の基準発光量と前記発光量演算手段にて演算された発光量との関係に応じて決定される量、前記絞り値情報を変更する」を「測距手段からの距離情報に基づいて、距離情報とストロボ発光時の発光量を対応させたテーブルを参照して発光量を演算する発光量演算手段と、所定の基準発光量と前記測距手段からの距離情報に基づいて絞り値情報を求めると共に、前記所定の基準発光量と前記発光量演算手段にて演算された発光量との差分に応じた量、前記絞り値情報を変更する」に訂正する。そして、【００１２】中の「請求項３」を「請求項２」に訂正し、【０１４２】中の「請求項１，２」を「請求項１」に、「請求項３」を「請求項２」に、「請求項４」を「請求項３」に、「請求項５」を「請求項４」に、それぞれ訂正する。
（５４）【発明の名称】
閃光発光制御装置
（５７）【特許請求の範囲】
　【請求項１】　測距手段からの距離情報に基づいて
、距離情報とストロボ発光時の発光量を対応させたテーブルを参照して
前記測距手段からの
差分に応じた
　【請求項
２
　【請求項
３
　前記演算された絞り値が前記所定の絞り値よりも大きい場合は、前記演算された絞り値を撮影用絞り値として決定し、前記演算された絞り値が前記所定の絞り値よりも小さい場合は、前記所定の絞り値を撮影用絞り値として決定する絞り決定手段を有したことを特徴とする請求項
２
　【請求項
４
３
【発明の詳細な説明】
　【０００１】
　【産業上の利用分野】
　本発明は、ストロボ発光量を変化させることのできる閃光発光制御装置の改良に関するものである。
　【０００２】
　【従来の技術】
　従来より、カメラに備わった電源であるところの電池を昇圧し、所定の容量をメインコンデンサに蓄積させた後、所定の発光タイミングにてキセノン管を励起させて発光させる、所謂ストロボ装置が知られている。このストロボ装置を使用することによって、暗いシ−ンや逆光シ−ンの時に被写体が暗くなることを防ぐことが可能となっている。
　【０００３】
　このストロボ装置の改良型として、ストロボ発光の際に被写体の反射光を測定し、所定の像面光量値になった時点でストロボ発光を停止させる、所謂ストロボ調光装置も知られている。このストロボ調光装置を用いれば、ストロボの連動範囲も広がり（近い距離で露出がオ−バ−にならない）且つカメラに近い距離に被写体が居た場合には極端に眩しい思いをせずに済むという利点が得られ、一眼レフカメラ等で良く使用されている。
　【０００４】
　一方、被写体までの距離を自動的に測定する、所謂測距装置を持つカメラも最近増えてきている。また、焦点距離を切り換えることができるカメラ、高ガイドナンバのストロボ装置を持つカメラも増えてきている。
　【０００５】
　【発明が解決しようとする課題】
　しかしながら、これらのカメラにおいて、前記ストロボ調光装置を装備しようとすると、ストロボ発光時の反射光を測定するための光学系や電気回路、さらには実装手段が必要になり、スペ−ス、コスト面で多大な影響が出ていた。一眼レフカメラは勿論、特に低価格でいろいろなバリエ−ションを持つレンズシャッタカメラ等においては必要なスペ−スが無かったり、必要なコストをかけることが困難であることから、このことが顕著であった。
　【０００６】
　また、被写体からのストロボ反射光によりストロボ調光制御を行うと、被写体及び該被写体の周辺の反射率に依存し、適正な露出を得ることが困難な場合もあった。例えば、金屏風の前に人が立っている場合には、従来のストロボ調光方式では、人の顔が暗くなる場合が多く、反対に背景全体が黒っぽい場合には、人の顔は白くとんでしまう場合があった。
　【０００７】
　さらに、従来のストロボ調光装置では、被写体からの反射光による光電流が微弱なため、ストロボ発光ノイズ等でストロボ発光と同時に調光が行われ、ストロボ発光量が極端に不足したり、又それを防ぐために実装上多大な検討及び部品等を必要とした。また、ストロボ調光光学系にゴミ或は水滴等がついたり、雨の日に撮影すると、ストロボ調光時の像面光量値がおかしくなってしまうこともあった。
　【０００８】
　更に、例えば近距離に居る人物に対してストロボ発光すると、極端には眩しくはないがかなり眩しいために、子供の目に対しては危険であった。そのため、ガイドナンバをかなり低下させて撮影したいといった要望がある。また、広視野測距との絡みである距離の条件では、ストロボ光と日中光との比率を変えたいといったことや、近距離撮影時には被写界深度を深くして撮影したいといった要望もある。
　【０００９】
　本発明の目的は、調光の為に従来必要であったストロボ反射光を受光して処理する光学系、電気回路、更にはその実装手段を不要とし、コスト、スペ−ス的に有利なものとすると共に、ストロボ反射光を用いないために被写体や背景の反射率に影響されることなく、広範囲にわたって最適な像面光量を与えることのできる閃光発光制御装置を提供することである。
　【００１０】
　【００１１】
　【課題を解決するための手段】
　上記目的を達成するために、請求項１記載の本発明は、測距手段からの距離情報に基づいて
、距離情報とストロボ発光時の発光量を対応させたテーブルを参照して
前記測距手段からの
差分に応じた
　【００１２】
　また、請求項
２
　【００１３】
　【００１４】
　【００１５】
　【実施例】
　以下、本発明を図示の実施例に基づいて詳細に説明する。
　【００１６】
　図１は本発明の第１の実施例を備えたレンズシャッタカメラの主要部分の構成を示すブロック図である。
　【００１７】
　図１において、１はカメラから被写体までの距離を測定する公知の測距装置、２はフィルムカ−トリッジの表面に設置されているＤＸコ−ドからフィルムの感度を検知するフィルム感度検知手段、３はズ−ムレンズ等のレンズの焦点距離を検知し、この焦点距離情報から絞り情報を判定するレンズ焦点距離検知手段、４は後述するストロボ発光量演算手段にて演算されたストロボガイドナンバと測距装置１からの被写体距離情報よりストロボ発光時の絞り値を計算し、さらに検知されたフィルム感度，レンズの焦点距離情報によってその絞り値を補正する絞り演算手段である。５は測距装置１からの被写体距離情報よりストロボガイドナンバを決定するストロボ発光量決定手段、６は前述の絞り演算手段４及びストロボ発光量決定手段５を備え、カメラやストロボ調光装置の各種回路の制御を司るマイクロプロセッサ、７は前記絞り演算手段４からの情報を基にストロボ発光時の絞り値を制御する絞り制御手段、８は前記ストロボ発光量決定手段５により設定されたストロボ発光量になるようにその制御を行う、ストロボ調光装置の各種回路を含むストロボ発光量制御手段である。
　【００１８】
　図２は前述のストロボ発光量を変えるストロボ発光量制御手段８の構成の一例を示す回路図である。
　【００１９】
　図２において、２１はストロボ発光させる為のエネルギ−を蓄えるメインコンデンサ、２２はストロボ発光用のキセノン管、２３はキノセン管２２を励起させストロボ発光させるストロボ発光手段、２４はキセノン管２２とメインコンデンサの間に接続され、ストロボ発光電流を流したり発光途中でその電流を遮断したりするスイッチング素子、２５はスイッチング素子２４を制御することによってストロボ発光量を変化させるストロボ発光量可変手段、２６は電源であるところの電池２７に接続され、所定の電圧に昇圧しその電荷をメインコンデンサ２１に蓄積させるストロボ充電手段である。
　【００２０】
　図３は上記図２の構成におけるストロボ発光量制御手段８の動作を示すフロ−チャ−トであり、以下これにしたがって説明する。
［ステップ１０１］　図１のマイクロプロセッサ６より充電開始信号が入力することにより、ストロボ充電手段２６は起動してメインコンデンサ２１への充電を開始する。
［ステップ１０２］　メインコンデンサ２１に所定量の充電がなされたか否かの判別を行い、所定量の充電がなされていない場合にはこのステップに留まり、その後所定量の充電がなされることによりステップ１０３へ進む。
［ステップ１０３］　レリ−ズボタンの第２ストロ−クによりＯＮする不図示のレリ−ズスイッチがＯＮしているか否かをカメラ側からの制御信号にて判別し、ＯＮしていなければこのステップに留まり、その後ＯＮすることによりステップ１０４へ進む。
［ステップ１０４］　上記レリ−ズスイッチのＯＮにより撮影動作がスタ−トするが、これに伴ってストロボ発光量可変手段２５はスイッチング素子２４をＯＮする。
［ステップ１０５］　ストロボ発光タイミングになると、ストロボ発光手段２３はトリガ信号を出力してキセノン管２２を励起させる。これにより、ストロボ発光が開始する。
［ステップ１０６］　ストロボ発光が開始されてから所定時間が達したか否かを判別し、所定時間に達していなければこのステップに留まり、その後所定時間に達することによりステップ１０７へ進む。
［ステップ１０７］　ストロボ発光量可変手段２５はスイッチング素子２４をＯＦＦにし、ストロボ発光を中断させる。
　【００２１】
　以上により、ストロボ発光量制御動作が終了する。
　【００２２】
　図４は、ストロボ発光開始からスイッチング素子２４がＯＦＦするまでの時間とその時のストロボ発光量との関係を示した図であり、図５は、ストロボ発光開始からスイッチング素子２４がＯＦＦするまでの時間とその時のストロボガイドナンバ（以下、Ｇｎｏと記す）との関係を示した図である。
　【００２３】
　早い時期にストロボ発光を停止させると、発光量，Ｇｎｏとも低くなり、時間を長くするにつれて、発光量，Ｇｎｏとも上昇する。
　【００２４】
　図６はストロボ発光量を変える図１に示したストロボ発光量制御手段８の構成の他の例を示す回路図である。
　【００２５】
　図６において、３１はストロボ発光させる為のエネルギを蓄えるメインコンデンサ、３２はストロボ発光用のキセノン管、３３はキノセン管３２を励起させ、ストロボ発光を開始させるストロボ発光手段、３４はキセノン管３２とメインコンデンサの間に接続され、ストロボ発光電流の急激な変化を防ぐチョ−クコイル、３５はストロボ発光途中でＯＮさせ、キセノン管３２の電流をバイパスさせることによってストロボ発光を中断させるスイッチング素子、３６はスイッチング素子３５を制御することによってストロボ発光量を変化させるストロボ発光量可変手段、３７は電源であるところの電池３８に接続され、所定の電圧に昇圧しその電荷をメインコンデンサ２１に蓄積させるストロボ充電手段である。
　【００２６】
　図７は上記図６の構成におけるストロボ発光量制御手段８の動作を示すフロ−チャ−トであり、以下これにしたがって説明する。
［ステップ２０１］　図１のマイクロプロセッサ６より充電開始信号が入力することにより、ストロボ充電手段３７は起動してメインコンデンサ３１への充電を開始する。
［ステップ２０２］　メインコンデンサ３１に所定量の充電がなされたか否かの判別を行い、所定量の充電がなされていない場合にはこのステップに留まり、その後所定量の充電がなされることによりステップ２０３へ進む。
［ステップ２０３］　レリ−ズボタンの第２ストロ−クによりＯＮする不図示のレリ−ズスイッチがＯＮしているか否かをカメラ側からの信号にて判別し、ＯＮしていなければこのステップに留まり、その後ＯＮすることによりステップ２０４へ進む。
［ステップ２０４］　ストロボ発光タイミングになると、ストロボ発光手段３３はトリガ信号を出力してキセノン管３２を励起させる。これにより、ストロボ発光が開始される。
［ステップ２０５］　ストロボ発光が開始されてから所定時間が達したか否かを判別し、所定時間に達していなければこのステップに留まり、その後所定時間に達することによりステップ２０６へ進む。
［ステップ２０６］　ストロボ発光量可変手段３６はスイッチング素子３５をＯＮにし、ストロボ発光電流をバイパスさせ、ストロボ発光を中断させる。
［ステップ２０７］　一定時間が経過するのを待ってステップ２０８へ進む。
［ステップ２０８］　スイッチング素子３５をＯＦＦにし、ストロボ発光を停止する。
　【００２７】
　以上により、ストロボ発光量制御動作が終了する。
　【００２８】
　ここで、上記図２及び図６のフロ−チャ−トを用いてストロボ発光量制御手段８の各構成例における動作について説明したが、このストロボ発光量制御手段８はこれら構成に限定されるものではない。
　【００２９】
　つまり、ストロボ発光量を制御出来るものであればどの様な構成でも良く、例えば、転流コンデンサを用いた一般的な直流調光タイプでも、メインコンデンサを複数持っていて、それを切り換えるタイプでも、キセノン管とメインコンデンサの間に抵抗を挿入し、その抵抗値を可変するタイプでも良い。
　【００３０】
　図８は図１のカメラの本発明に係る部分の動作を示すフロ−チャ−トであり、以下図９（ａ）〜（ｃ）に示すテ−ブルを用いながら説明する。
　【００３１】
　不図示のレリ−ズボタンの第１ストロ−クがなされることにより、マイクロプロセッサ６はステップ３０１からの動作を開始する。
［ステップ３０１］　測距装置１を駆動し、該カメラから被写体までの距離測定を開始する。
［ステップ３０２］　ストロボ発光量決定手段５はマイクロプロセッサ６内に格納されているテ−ブルよりステップ３０１で得られた被写体距離情報をコ−ド化する（距離コ−ド化については図９（ａ）を用いて後述する）。
［ステップ３０３］　上記ステップ３０２にて得られた距離コ−ドを基に今度は図９（ｂ）を参照してＧｎｏを算出する。
［ステップ３０４］　上記ステップ３０２にて得られた距離コ−ド（或はステップ３０３で得られたＧｎｏ）を基に図９（ｃ）を参照してストロボ発光から停止までの時間を求める。
［ステップ３０５］　絞り演算手段４にてステップ３０３にて得られたＧｎｏが、フル発光からどの程度Ｇｎｏを低下させた値であるかを演算する。
［ステップ３０６］　測距装置１からの被写体距離情報よりフル発光時の必要絞り値を算出する。
［ステップ３０７］　ここでは上記ステップ３０５にて求めた差分（Ｇｎｏの）を上記ステップ３０６にて求めた絞り値よりシフトして基準の絞り値を算出する。
［ステップ３０８］　上記ステップ３０７において得られた絞り値に対し、フィルム感度検知手段２より入力されたフィルム感度にて補正をかける。
［ステップ３０９］　上記ステップ３０８において得られた絞り値に対し、レンズ焦点距離検知手段３より入力された焦点距離情報にてさらに補正をかけ、これを最終的なストロボ発光時の絞り値（以下、制御絞り値と記す）とする。
［ステップ３１０］　上記の制御絞り値に達する、シャッタ通電開始からストロボ発光開始直前までの時間を演算する。
［ステップ３１１］　ここでは実際にシャッタに通電して該シャッタを開放させる。
［ステップ３１２］　ステップ３１０にて算出された時間経過後に、つまり制御絞り値まで絞りが開いた時点でストロボ発光を開始する。
［ステップ３１３］　ストロボ発光開始からステップ３０４にて決められた時間が経過することにより、つまりステップ３０３にて算出したＧｎｏに達した時点でストロボ発光を停止させる。
［ステップ３１４］　予め定められた所定時間経過後にシャッタ通電を止め、シャッタを閉じさせる。これにより、露光動作が終了する。
　【００３２】
　ここで、図９（ａ）〜（ｃ）を用い、実際に得られた被写体距離情報からストロボ発光停止時間算出までの方法について説明する。
　【００３３】
　例えば、測距装置１からの被写体距離情報が「１２ｍ」の場合には、先ず図９（ａ）のテ−ブルを参照して距離コ−ドを「４」とし、又この時のＧｎｏを図９（ｂ）のテ−ブルを参照して「２５」とする。ここで、図９（ｂ）のテ−ブルはフル発光時のＧｎｏを「５０」とし、その距離コ−ド順に０．２５段づつ下げていったテ−ブルとなっている。次に、上記の距離コ−ド（或は上記のＧｎｏ）を基に、図９（ｃ）のテ−ブルを用いてストロボ発光停止時間を参照する。つまり、被写体距離情報が「１２ｍ」で距離コ−ドが「４」の場合には、ストロボ発光後から「２０４μｓｅｃ」後にストロボ発光を停止させることにする。これにより、フル発光時のＧｎｏが「５０」の時にＧｎｏが「２５」となる。
　【００３４】
　同様に、被写体距離情報が「７．１ｍ」の場合には距離コ−ドは「７」，Ｇｎｏは「１４．９」であり、ストロボ発光停止時間は「１５６μｓｅｃ」となる。又、被写体距離情報「２．１ｍ」の時には距離コ−ドは「１４」，Ｇｎｏは「４．４」であり、ストロボ発光停止時間は「６５．２μｓｅｃ」となる。以下同様にして被写体距離情報より距離コ−ド及びＧｎｏ、ストロボ発光停止時間を求める。
　【００３５】
　図１０は被写体距離とＧｎｏとのテ−ブルをグラフ化した一例を示すものである。
　【００３６】
　ここでは被写体距離がほぼ直線上に近くなればなる程、Ｇｎｏを低下させている。
　【００３７】
　図１１は被写体距離とＧｎｏとのテ−ブルをグラフ化した他の例を示すものである。
　【００３８】
　ここでは被写体距離が近い方ではＧｎｏをかなり下げ、距離が遠くになるにつれて急激にＧｎｏを上昇させている。これは図９（ａ）のテ−ブルにおいて、距離コ−ドと被写体距離の関係を変えるだけで実現可能である。
　【００３９】
　このように、本実施例によれば、被写体距離と距離コ−ドのテ−ブルを変えるだけで、自由に距離に対応したＧｎｏを算出することができる。
　【００４０】
　（第２の実施例）
　図１２は本発明の第２の実施例におけるカメラの動作を示すフロ−チャ−トであり、回路構成は図１に示す第１の実施例と同様であるので、ここでは省略する。
　【００４１】
　不図示のレリ−ズボタンの第１ストロ−クがなされることにより、マイクロプロセッサ６はステップ４０１からの動作を開始する。
［ステップ４０１］　測距装置１を駆動し、該カメラから被写体までの距離測定を開始する。
［ステップ４０２］　ストロボ発光量決定手段５は後述する演算にてＧｎｏを算出する。
［ステップ４０３］　ここでは上記ステップ４０２にて得られたＧｎｏになるようストロボ発光停止のタイミングを演算する。
［ステップ４０４］　上記ステップ４０２にて得られたＧｎｏより絞り演算手段４はストロボ発光時の絞り値を算出する。
［ステップ４０５］　上記ステップ４０４において得られた絞り値に対し、フィルム感度検知手段２より入力されたフィルム感度にて補正をかける。
［ステップ４０６］　上記ステップ４０５において得られた絞り値に対し、レンズ焦点距離検知手段３より入力された絞り情報にてさらに補正をかけ、これを最終的なストロボ発光時の絞り値（以下、制御絞り値と記す）とする。
［ステップ４０７］　上記の制御絞り値に達する、シャッタ通電開始からストロボ発光開始直前までの時間を演算する。
［ステップ４０８］　ここでは実際にシャッタに通電して該シャッタを開放させる。
［ステップ４０９］　ステップ４０７にて算出された時間経過後にストロボ発光を開始する。
［ステップ４１０］　ストロボ発光開始からステップ４０３にて決められた時間が経過することにより、ストロボ発光を停止させる。
［ステップ４１１］　予め定められた所定時間経過後にシャッタ通電を止め、シャッタを閉じさせる。これにより、露光動作が終了する。
　【００４２】
　次に、上記ステップ４０２において、得られる被写体距離情報よりＧｎｏを算出する方法を図１３及び図１４を用いて説明する。
　【００４３】
　先ず、ストロボ発光量決定手段５に図１３の計算式が入力されているものとする。
　【００４４】
　ステップ４０１にて被写体距離情報が算出されると、ステップ４０２においてＧｎｏは
　　Ｇｎｏ＝ａ×（距離）＋ｂ
という計算式に基づいて算出する。例えば、ａ＝１．５，ｂ＝２とすると、被写体距離が「４ｍ」の場合のＧｎｏは、
　　Ｇｎｏ＝１．５×４＋２
より「８」となり、また、被写体距離が「１ｍ」の場合のＧｎｏは、
　　Ｇｎｏ＝１．５×１＋２
より「３．５」となる。なお、ａ，ｂはそれぞれ係数である。
　【００４５】
　図１４の計算式が入力されている場合には、図に示す様に被写体距離によって使用する計算式が異なってくる。
　【００４６】
　つまり、被写体距離がＬ１よりも近い場合には、
　　Ｇｎｏ＝ａ１×（距離）＋ｂ１
にて計算され、また、被写体距離がＬ１からＬ２の範囲にある場合には、
　　Ｇｎｏ＝ａ２×（距離）＋ｂ２
にて計算され、また、被写体距離がＬ２からＬ３の範囲にある場合には、
　　Ｇｎｏ＝ａ３×（距離）＋ｂ３
にて計算され、距離がＬ４以上の場合は、
　　Ｇｎｏ＝Ｇｎｏｍａｘ
にて計算される。なお、ａ１〜ａ３は係数であり、これら係数ａ１，ａ２，ａ３は、ａ１＜ａ２＜ａ３となるように設定されている。
　【００４７】
　尚、ステップ４０２にて計算される計算式は、これに限定されるものではない。便宜上Ｇｎｏを被写体距離に対する一次式の形にて表現したが、実際には図１４の様な式を高次式に代用すれば、被写体距離による場合分けをせずに行っても同様の効果を得ることができる。
　【００４８】
　以上の第１及び第２の実施例によれば、カメラに備わっている測距装置からの被写体距離情報を基にＧｎｏを決定するようにしているため、従来のストロボ調光装置の様な余分な光学系，電気回路，実装手段を用いること無く、ストロボ調光装置を実現することができ、スペ−ス（カメラに組み込んだ場合），コスト的に効果は絶大であり、さらには微弱な信号を用いていないためにノイズに強く、最近の低コスト、各種バリエ−ションを持つカメラに適している。
　【００４９】
　さらに、従来のストロボ調光方式と異なり、被写体の反射率や被写体周辺の反射率に影響されることなく、常に一定の適正像面光量値によって撮影が可能となる。
　【００５０】
　更に、被写体距離によってＧｎｏを自由に設定できるので、目に優しい、子供撮影用ストロボ調光装置にしたり、被写界深度優先のストロボ調光装置にしたりというように、各種の要望に答えることのできるストロボ調光装置を実現することができる。
　【００５１】
　（第３の実施例）
　この実施例は、先の第１及び第２の実施例の改良型のストロボ調光装置を提案するものであり、詳しくは、先の各実施例においては、測距装置より入力される被写体距離情報を基にストロボ発光時のＧｎｏを決定し、このＧｎｏとなるようにストロボ発光時の絞り値を演算する方式のものであったが、実際には絞り値は無制限にしかもリニアリティを保ちながら低下させることは、シャッタの制御バラツキ、姿勢差、部品バラツキ等を考慮すると不可能なことであった。そのため、安定して保証するためには、最小絞り値と言うものを設定しなければならないが、先の各実施例では絞り値が安定に小さくできる最小絞り値以下になった場合の処理については何等施していなかった。そこで、この点を改善すべく実施例として、この第３の実施例を以下に挙げる。
　【００５２】
　図１５は本発明の第３の実施例を備えたレンズシャッタカメラの主要部分の構成を示すブロック図である。
　【００５３】
　図１５において、１０１はカメラから被写体までの距離を測定する公知の測距装置、１０２はフィルムカ−トリッジの表面に設置されているＤＸコ−ドからフィルムの感度を検知するフィルム感度検知手段、１０３はズ−ムレンズ等のレンズの焦点距離を検知し、この焦点距離情報から絞り情報を判定するレンズ焦点距離検知手段、１０４は後述するストロボ発光量演算手段にて演算されたＧｎｏと測距装置１０１からの被写体距離情報よりストロボ発光時の絞り値を計算し、さらに検知されたフィルム感度，レンズの焦点距離情報によってその絞り値を補正する絞り演算手段である。１０５は測距装置１からの被写体距離情報よりＧｎｏを決定するストロボ発光量決定手段、１０６は前述の絞り演算手段１０４及びストロボ発光量決定手段１０５を備え、カメラやストロボ調光装置の各種回路の制御を司るマイクロプロセッサ、１０７は前記絞り演算手段１０４からの情報を基にストロボ発光時の絞り値を制御する絞り制御手段、１０８は前記ストロボ発光量決定手段１０５により設定されたストロボ発光量になるようにその制御を行う、ストロボ調光装置の各種回路を含むストロボ発光量制御手段である。
　【００５４】
　上記ストロボ発光量制御手段１０８の構成は前述の図２又は図６と同一であり、又該ストロボ発光量制御手段１０８の動作は前述の図３又は図７のフローチャートと同様であるので、これらの説明は省略する。
　【００５５】
　【００５６】
　【００５７】
　【００５８】
　【００５９】
　【００６０】
　【００６１】
　【００６２】
　【００６３】
　【００６４】
　【００６５】
　【００６６】
　図１６は図１５のカメラの本発明に係る部分の動作を示すフロ−チャ−トであり、以下図１７（ａ）〜（ｃ）に示すテ−ブルを用いながら説明する。
　【００６７】
　不図示のレリ−ズボタンの第１ストロ−クがなされることにより、マイクロプロセッサ１０６はステップ５０１からの動作を開始する。
［ステップ５０１］　測距装置１０１を駆動し、該カメラから被写体までの距離測定を開始する。
［ステップ５０２］　ストロボ発光量決定手段１０５はマイクロプロセッサ１０６内に格納されているテ−ブルよりステップ５０１で得られた被写体距離情報をコ−ド化する（距離コ−ド化については図１７（ａ）を用いて後述する）。
［ステップ５０３］　上記ステップ５０２にて得られた距離コ−ドを基に今度は図１７（ｂ）を参照してＧｎｏを算出する。
［ステップ５０４］　上記ステップ５０２にて得られた距離コ−ド（或はステップ５０３で得られたＧｎｏ）を基に図１７（ｃ）を参照してストロボ発光から停止までの時間を求める。
［ステップ５０５］　絞り演算手段１０４にてステップ５０３にて得られたＧｎｏが、フル発光からどの程度Ｇｎｏを低下させた値であるかを演算する。
［ステップ５０６］　測距装置１０１からの被写体距離情報よりフル発光時の必要絞り値を算出する。
［ステップ５０７］　ここでは上記ステップ５０５にて求めた差分（Ｇｎｏの）を上記ステップ５０６にて求めた絞り値よりシフトして基準の絞り値を算出する。
［ステップ５０８］　上記ステップ５０７において得られた絞り値に対し、フィルム感度検知手段１０２より入力されたフィルム感度にて補正をかける。
［ステップ５０９］　上記ステップ５０８において得られた絞り値に対し、レンズ焦点距離検知手段１０３より入力された焦点距離情報にてさらに補正をかける（以下、この時の絞り値を演算絞り値と記す）とする。
［ステップ５１０］　上記ステップ５０９にて得られた演算絞り値が最小絞り値よりも大きいか小さいかを判別し、もし最小絞り値よりも大きい場合にはステップ５１１へ進み、最小絞り値よりも小さい場合にはステップ５１７へ進む。
［ステップ５１１］　最終的なストロボ発光時の絞り値（以下、これを制御絞り値と記す）を上記の演算絞り値とする。
［ステップ５１２］　上記の制御絞り値に達する、シャッタ通電開始からストロボ発光開始直前までの時間を演算する。
［ステップ５１３］　ここでは実際にシャッタに通電して該シャッタを開放させる。
［ステップ５１４］　ステップ５１２にて算出された時間経過後にストロボ発光を開始する。
［ステップ５１５］　ストロボ発光開始からステップ５０４にて決められた時間が経過することにより、ストロボ発光を停止させる。
［ステップ５１６］　予め定められた所定時間経過後にシャッタ通電を止め、シャッタを閉じさせる。これにより、露光動作が終了する。
　【００６８】
　上記ステップ５１０において、ステップ５０９にて得られた演算絞り値が最小絞り値よりも小さいと判別された場合には、前述したようにステップ５１７へ進む。
［ステップ５１７］　ここでは最小絞り値よりもさらに小絞りにすることはできないので、最小絞り値を制御絞り値とする。
［ステップ５１８］　最小絞り値と演算絞り値との差分を演算する。
［ステップ５１９］　上記ステップ５１８にて得られた差分に対応するＧｎｏだけ、上記５０３にて算出したＧｎｏより減算する。そして、前述したステップ５１２以降の動作を進める。
　【００６９】
　ここで、図１７（ａ）〜（ｃ）を用い、実際に得られた被写体距離情報からストロボ発光停止時間算出までの方法について説明する。
　【００７０】
　例えば、測距装置１０１からの被写体距離情報が「８．８ｍ」の場合には、先ず図１７（ａ）のテ−ブルを参照して距離コ−ドを「４」とし、又この時のＧｎｏを図１７（ｂ）のテ−ブルを参照して「２５」とする。ここで、図１７（ｂ）のテ−ブルはフル発光時のＧｎｏを「５０」とし、その距離コ−ド順に０．２５段づつ下げていったテ−ブルとなっている。次に、上記の距離コ−ド（或は前記のＧｎｏ）を基に図１７（ｃ）のテ−ブルを用いてストロボ発光停止時間を参照して決定する。絞り値は、図１８を参照して距離コ−ドが「４」の場合には「Ｆ２．８３」とし、これにＩＳＯ補正、ズ−ム補正を加える。例えば、ＩＳＯが「１００」，ＷＩＤＥ端であれば、「Ｆ２．８３」のままとなる。ストロボ発光停止タイミングは、距離が「８．８ｍ」，距離コ−ドが「４」の場合には、ストロボ発光後から「２０４μｓｅｃ」後にストロボ発光を停止させると、フル発光時のＧｎｏが「５０」の時にＧｎｏが「２５」となる。
　【００７１】
　また、距離が「４．１ｍ」の場合には、距離コ−ドは「７」，Ｇｎｏは「１４．９」であり、ＩＳＯ１００でＷＩＤＥ端時、絞り値は「Ｆ３．６７」、ストロボ発光停止時間は「１５６μｓｅｃ」となり、又、距離が「０．６５ｍ」の場合には、距離コ−ドは「１４」，Ｇｎｏは「４．４」であり、ＩＳＯが「１００」でＷＩＤＥ端の時、絞り値は「Ｆ６．３７」、ストロボ発光停止時間は「６５．２μｓｅｃ」となる。以下、同様にして距離より距離コ−ド及びＧｎｏ、ストロボ発光停止時間を求める。
　【００７２】
　距離が「０．２３ｍ」の場合には距離コ−ドは「１８」となり、絞り値は「Ｆ９．５１」となるが、ここでＩＳＯを「１００」から「１６００」にするとフィルム感度が４段上昇するから絞り値は「Ｆ９．５１」から「Ｆ３８．２８」となり、ここで決められている最小絞り「Ｆ３２．００」を越えてしまう。この場合には「Ｆ３２．００」と「Ｆ３８．２８」との差分、つまり０．５段分だけＧｎｏを低下させなければならない。Ｇｎｏは距離コ−ド「１８」の場合には「２．２１」となり、Ｇｎｏを０．５段シフトさせて「１．５６」となる。このＧｎｏになるようにストロボ発光時間を算出すると、「４１．２μｓｅｃ」となる。
　【００７３】
　この第３の実施例によれば、測距情報に基づいてＧｎｏを決定し、これに応じた絞り値を演算するが、この時の絞り値が安定して低下（小絞り側へ）にできる限界の最小絞り値に達した後は、今度はその必要絞り値と最小絞り値との差分だけＧｎｏを低下させるようにしている為、シャッタ制御に伴う諸々のバラツキ等に左右されること無く、広範囲に渡って適正なストロボ発光量を与えることが可能となる。
　【００７４】
　（第４の実施例）
　この実施例は、先の第１及び第２の実施例と同様の効果を得る為の別の構成例を示すものであり、以下にこれについて説明する。
　図１９は本発明の第４の実施例を備えたレンズシャッタカメラの主要部分の構成を示すブロック図である。
　【００７５】
　図１９において、２０１はカメラから被写体までの距離を測定する公知の測距装置、２０２はフィルムカ−トリッジの表面に設置されているＤＸコ−ドからフィルムの感度を検知するフィルム感度検知手段、２０３はズ−ムレンズ等のレンズの焦点距離を検知し、この焦点距離情報から絞り情報を判定するレンズ焦点距離検知手段、２０４は測距装置２０１からの被写体距離情報よりストロボ発光時の絞り値を計算し、さらに検知されたフィルム感度，レンズの焦点距離情報によってその絞り値を補正する絞り演算手段であり、所定絞り値に対する光量不足、過分を後述するストロボ発光量演算手段に伝達させる。２０５は絞り演算手段２０４からの所定絞り値に対する不足、過分を補正すべくストロボ発光量を演算するストロボ発光量決定手段、２０６は前述の絞り演算手段２０４及びストロボ発光量決定手段２０５を備えると共に、カメラやストロボ調光装置の各種回路の制御を司るマイクロプロセッサ、２０７は前記絞り演算手段２０４からの情報を基にストロボ発光時の絞り値を制御する絞り制御手段、２０８は前記ストロボ発光量決定手段２０５により設定されたストロボ発光量になるようにその制御を行う、ストロボ調光装置の各種回路を含むストロボ発光量制御手段である。
　【００７６】
　上記ストロボ発光量制御手段２０８の構成は前述の図２又は図６と同一であり、又該ストロボ発光量制御手段１０８の動作は前述の図３又は図７のフローチャートと同様であるので、これらの説明は省略する。
　【００７７】
　【００７８】
　【００７９】
　【００８０】
　【００８１】
　【００８２】
　【００８３】
　【００８４】
　【００８５】
　【００８６】
　【００８７】
　【００８８】
　図２０は図１９のカメラの本発明に係る部分の動作を示すフロ−チャ−トであり、以下これにしたがって説明する。
　【００８９】
　不図示のレリ−ズボタンの第１ストロ−クがなされることにより、マイクロプロセッサ２０６はステップ６０１からの動作を開始する。
［ステップ６０１］　測距装置２０１を駆動し、該カメラから被写体までの距離測定を開始する。
［ステップ６０２］　予め記憶されているフル発光時のＧｎｏを読み出し、これを設定する。
［ステップ６０３］　絞り演算手段２０４により、ステップ６０１において得られた被写体距離情報とステップ６０２により設定されたフル発光時のＧｎｏを基にストロボ発光時の絞り値の演算を行う。
［ステップ６０４］　上記ステップ６０３にて得られた絞り値に対し、フィルム感度検知手段２０２より入力されたフィルム感度にて補正をかける。
［ステップ６０５］　ここでは上記ステップ６０４にて得られた絞り値に対し、レンズ焦点距離検知手段２０３より入力された焦点距離情報にてさらに補正をかける。
［ステップ６０６］　ストロボ発光量決定手段２０５にて予め決められている所定の絞り値と絞り演算手段２０４にて演算された演算絞り値（ステップ６０５にて得られた絞り値）とを比較し、演算絞り値が所定絞り値より小さい場合はステップ６０７へ進み、大きい場合にはステップ６１５へ進む。
［ステップ６０７］　ここでは演算絞り値と所定絞り値の差分に相当するだけのＧｎｏ分フル発光時のＧｎｏから減算し、これを撮影時のＧｎｏとする。
［ステップ６０８］　ストロボ発光量決定手段２０５により、上記ステップ６０７により得られたＧｎｏとなるストロボ発光停止タイミングを算出する。
［ステップ６０９］　ここでは演算絞り値が所定の絞り値よりも小さい為、実際にストロボ発光させる時の絞り値（以下、制御絞り値と記す）を先程の所定絞り値に変更する。
［ステップ６１０］　上記の制御絞り値に達する、シャッタ通電開始からストロボ発光開始直前までの時間を演算する。
［ステップ６１１］　ここでは実際にシャッタに通電して該シャッタを開放させる。
［ステップ６１２］　ステップ６１０にて算出された時間経過後、つまり制御絞り値に達したであろう時間経過後にストロボ発光を開始する。
［ステップ６１３］　ストロボ発光開始からステップ６０８にて決められた時間が経過することにより、ストロボ発光を停止させる。
［ステップ６１４］　予め定められた所定時間経過後にシャッタ通電を止め、シャッタを閉じさせる。これにより、露光動作が終了する。
　【００９０】
　上記ステップ６０６において演算絞り値が所定絞り値より大きい場合には、前述した様にステップ６１５へ進む。
［ステップ６１５］　実際に発光させる時の制御絞り値を演算絞り値とし、ステップ６１０以降の動作を進める。
　【００９１】
　次に、上記の被写体距離と絞り値との関係を図２１により、又、被写体距離とＧｎｏとの関係を図２２により、それぞれ説明する。
　【００９２】
　図２０のステップ６０１における被写体距離が図２１，図２２で示すＬ４より遠い場合には、演算絞り値は最大絞り値［ＡＶｍａｘ］となり、所定絞り値［ＡＶ１］より当然大きいので制御絞り値は演算絞り値（つまり最大絞り値［ＡＶｍａｘ］）に、そして、Ｇｎｏはフル発光となる。
　【００９３】
　また、被写体距離がＬ４からＬ３の範囲にある場合には、演算絞り値は所定の絞り値［ＡＶ１］より大きいので、制御絞り値はこの場合も演算絞り値に、そして、Ｇｎｏはフル発光になる。
　【００９４】
　また、被写体距離がＬ３より近い範囲にある場合には、演算絞り値は所定絞り値［ＡＶ１］より小さくなるので、制御絞り値は所定絞り値に、そして、Ｇｎｏはフル発光の光量から「所定絞り値−演算絞り値」の差分だけ発光量を制限したストロボ発光量として制御（調光）する。
　【００９５】
　（第５の実施例）
　図２３は本発明の第５の実施例における動作を示すフロ−チャ−トであり、回路構成は図１９に示した第４実施例と同様であるので、ここでは省略する。
　【００９６】
　不図示のレリ−ズボタンの第１ストロ−クがなされることにより、マイクロプロセッサ２０６はステップ７０１からの動作を開始する。
［ステップ７０１］　測距装置２０１を駆動し、該カメラから被写体までの距離測定を開始する。
［ステップ７０２］　予め記憶されている所定のＧｎｏを読み出し、これを設定する。
［ステップ７０３］　絞り演算手段２０４により、上記ステップ７０１において得られた被写体距離情報とステップ７０２により設定された所定のＧｎｏを基にストロボ発光時の絞り値を演算する。
［ステップ７０４］　上記ステップ７０３にて得られた絞り値に対し、フィルム感度検知手段２０２より入力されたフィルム感度にて補正をかける。
［ステップ７０５］　ここでは上記ステップ７０４にて得られた絞り値に対し、レンズ焦点距離検知手段２０３より入力された焦点距離情報にてさらに補正をかける。
［ステップ７０６］　ストロボ発光量決定手段２０５にて予め決められている所定の絞り値と絞り演算手段２０４にて演算された演算絞り値（ステップ７０５にて得られた絞り値）とを比較し、演算絞り値が所定絞り値より小さい場合はステップ７０７へ進み、大きい場合にはステップ７１５へ進む。
［ステップ７０７］　ここでは演算絞り値と所定絞り値の差分に相当するだけのＧｎｏ分所定のＧｎｏから減算し、これを撮影時のＧｎｏとする。
［ステップ７０８］　上記ステップ７０７により得られたＧｎｏとなるストロボ発光停止タイミングを算出する。
［ステップ７０９］　ここでは演算絞り値が所定の絞り値よりも小さいので、実際にストロボ発光させる時の絞り値（以下、制御絞り値と記す）を先程の所定絞り値に変更する。
［ステップ７１０］　上記制御絞り値になる、シャッタ通電開始からストロボ発光開始直前までの時間を演算する。
［ステップ７１１］　ここでは実際にシャッタに通電して該シャッタを開放させる。
［ステップ７１２］　ステップ７１０にて算出された時間経過後にストロボ発光を開始させる。
［ステップ７１３］　ストロボ発光開始からステップ７０８にて決められた時間経過後にストロボ発光を停止させる。
［ステップ７１４］　予め定められた所定時間経過後にシャッタ通電を止め、シャッタを閉じさせる。これにより、露光動作が終了する。
　【００９７】
　上記ステップ７０６において演算絞り値が所定絞り値より大きい場合には、前述した様にステップ７１５へ進む。
［ステップ７１５］　ここでは演算絞り値と最大開口絞り値との比較を行い、もし最大開口絞り値よりも演算絞り値が小絞りであればステップ７１６へ進み、最大開口絞り値より大絞りであればステップ７１７へ進む。
［ステップ７１６］　演算絞り値が最大開口絞り値よりも小絞りであるので、制御絞り値を演算絞り値にし、ステップ７１０以降の動作を進める。
　【００９８】
　上記ステップ７１５において最大開口絞り値よりも演算絞り値が大絞りであった場合には、前述したようにステップ７１７へ進む。
［ステップ７１７］　ここでは演算絞り値が最大開口絞り値よりどれだけ大きいかその差分を演算し、これに対応した分だけＧｎｏを加算する。
［ステップ７１８］　上記の加算されたＧｎｏになるようにストロボ発光タイミングを演算する。
［ステップ７１９］　制御絞りを最大開口の絞り値とし、ステップ７１０以降の動作を進める。
　【００９９】
　次に、上記の被写体距離と絞り値との関係を図２４により、又、被写体距離とＧｎｏとの関係を図２５により、それぞれ説明する。
　【０１００】
　図２３のステップ７０１における被写体距離がＬ５より近い範囲にある場合には、演算絞りは所定の絞り値［ＡＶ１］よりも小さくなり、所定のＧｎｏ［Ｇｎｏ２］を「所定絞り値−演算絞り値」に相当する分だけ減算したＧｎｏにて制御される。
　【０１０１】
　また、被写体距離がＬ６からＬ４の範囲内にある場合には、演算絞り値は所定絞り値［ＡＶ１］よりも大きく且つ最大開口絞り値［ＡＶｍａｘ］よりも大きいので、制御絞り値は最大絞り値であり、Ｇｎｏは「最大絞り値−演算絞り値」の分に相当するだけ所定Ｇｎｏより加算したＧｎｏにて制御される。
　【０１０２】
　以上の第４及び第５の実施例によれば、測距装置からの被写体距離情報を基にストロボ発光時の絞り値を演算し、その絞り値が所定の絞り値より小さい場合にはその差分に相当するだけＧｎｏを下げる様にしている（第５の実施例では、更に、所定の絞り値より大きく且つ最大開口絞りより小さい場合には絞り値を大きくしたり、絞り値が最大開口絞りより大きくなった場合にはその差分だけＧｎｏを上げたりしている）ため、従来のストロボ調光装置の様な余分な光学系，電気回路，実装手段を用いること無く、ストロボ調光装置を実現することができ、コスト、スペ−ス的に効果は絶大であり、最近の低コスト、各種バリエ−ションを持つカメラに最適なものとなる。
　【０１０３】
　また、従来のストロボ調光方式と異なり、被写体の反射率や被写体周辺の反射率に影響されることなく、常に一定の適正像面光量値によって撮影が可能となる。
　（第６の実施例）
　この実施例は、先の第４の実施例の改良型のストロボ調光装置を提案するものであり、詳しくは、先の第４実施例においては、測距装置より入力される被写体距離情報を基にストロボ発光時の絞り値を算出し、その絞り値が所定の絞り値より小さい場合にはその差分だけＧｎｏを下げる方式のものであったが、実際にはＧｎｏは無制限にしかもリニアリティを保ちながら低下させることは、部品の電気的特性のバラツキ及びカメラのバラツキ等により不可能なことであった。そのため、安定して保証するためには、最低Ｇｎｏと言うものを設定しなければならないが、先の第４実施例ではＧｎｏが安定に下げられる最低Ｇｎｏ以下になった場合の処理については何等施していなかった。そこで、この点を改善すべく実施例として、この第６の実施例を以下に挙げる。
　【０１０４】
　図２６は本発明の第６の実施例を備えたレンズシャッタカメラの主要部分の構成を示すブロック図である。
　【０１０５】
　図２６において、３０１はカメラから被写体までの距離を測定する公知の測距装置、３０２はフィルムカ−トリッジの表面に設置されているＤＸコ−ドからフィルムの感度を検知するフィルム感度検知手段、３０３はズ−ムレンズ等のレンズの焦点距離を検知し、この焦点距離情報から絞り情報を判定するレンズ焦点距離検知手段、３０４は測距装置３０１からの被写体距離情報よりストロボ発光時の絞り値を計算し、さらに検知されたフィルム感度，レンズの焦点距離情報によってその絞り値を補正する第１の絞り演算手段であり、所定絞り値に対する光量不足、過分を後述するストロボ発光量演算手段に伝達させる。３０５は絞り演算手段３０４からの所定絞り値に対する不足、過分を補正すべくストロボ発光量を演算するストロボ発光量決定手段、３０６は前述の第１の絞り演算手段３０４，ストロボ発光量決定手段３０５及び後述の第２の絞り演算手段を備えると共に、カメラやストロボ調光装置の各種回路の制御を司るマイクロプロセッサ、３０７は後述の第２の絞り演算手段からの情報を基にストロボ発光時の絞り値を制御する絞り制御手段、３０８は前記ストロボ発光量決定手段２０５により設定されたストロボ発光量になるようにその制御を行う、ストロボ調光装置の各種回路を含むストロボ発光量制御手段、３０９は前記ストロボ発光量決定手段３０５よりＧｎｏ情報を基にそのＧｎｏが最小Ｇｎｏ以下を要求する場合には、その差分を計算し、前記第１の絞り演算手段３０４よりの絞り値に補正をかける第２の絞り演算手段である。
　【０１０６】
　上記ストロボ発光量制御手段２０８の構成は前述の図２又は図６と同一であり、又該ストロボ発光量制御手段１０８の動作は前述の図３又は図７のフローチャートと同様であるので、これらの説明は省略する。
　【０１０７】
　【０１０８】
　【０１０９】
　【０１１０】
　【０１１１】
　【０１１２】
　【０１１３】
　【０１１４】
　【０１１５】
　【０１１６】
　【０１１７】
　【０１１８】
　図２７は図２６のカメラの本発明に係る部分の動作を示すフロ−チャ−トであり、以下これにしたがって説明する。
　【０１１９】
　不図示のレリ−ズボタンの第１ストロ−クがなされることにより、マイクロプロセッサ３０６はステップ８０１からの動作を開始する。
［ステップ８０１］　測距装置３０１を駆動し、該カメラから被写体までの距離測定を開始する。
［ステップ８０２］　予め記憶されているフル発光時のＧｎｏを読み出し、これを設定する。
［ステップ８０３］　第１の絞り演算手段３０４により、ステップ８０１において得られた被写体距離情報とステップ８０２により設定されたフル発光時のＧｎｏを基にストロボ発光時の絞り値の演算を行う。
［ステップ８０４］　上記ステップ８０３にて得られた絞り値に対し、フィルム感度検知手段３０２より入力されたフィルム感度にて補正をかける。
［ステップ８０５］　ここでは上記ステップ８０４にて得られた絞り値に対し、レンズ焦点距離検知手段３０３より入力された焦点距離情報にてさらに補正をかけ、絞り値を決定する（以下、これを第１の演算絞り値と記す）。
［ステップ８０６］　予め決められている所定の絞り値と絞り演算手段３０４にて演算された第１の演算絞り値とを比較し、第１の演算絞り値が所定絞り値より小さい場合はステップ８０７へ進み、大きい場合にはステップ７２０へ進む。
［ステップ８０７］　ここでは第１の演算絞り値と所定絞り値の差分に相当するだけのＧｎｏ分フル発光時のＧｎｏから減算する。
［ステップ８０８］　減算することにより得られる上記Ｇｎｏが最低Ｇｎｏより小さいか否かを判別し、最低Ｇｎｏより小さければステップ８１６へ進み、最低Ｇｎｏ以上であればステップ８０９へ進む。
［ステップ８０９］　ストロボ発光量決定手段３０５により、上記ステップ８０８により得られたＧｎｏとなるストロボ発光停止タイミングを算出する。
［ステップ８１０］　ここでは第１の演算絞り値が所定の絞り値よりも小さい為、実際にストロボ発光させる時の絞り値（以下、制御絞り値と記す）を先程の所定絞り値に変更する。
［ステップ８１１］　上記の制御絞り値に達する、シャッタ通電開始からストロボ発光開始直前までの時間を演算する。
［ステップ８１２］　ここでは実際にシャッタに通電して該シャッタを開放させる。
［ステップ８１３］　ステップ８１１にて算出された時間経過後、つまり制御絞り値に達したであろう時間経過後にストロボ発光を開始する。
［ステップ８１４］　ストロボ発光開始からステップ８０９にて決められた時間が経過することにより、ストロボ発光を停止させる。
［ステップ８１５］　予め定められた所定時間経過後にシャッタ通電を止め、シャッタを閉じさせる。これにより、露光動作が終了する。
　【０１２０】
　上記ステップ８０６において第１の演算絞り値が所定絞り値より大きい場合には、前述した様にステップ８２０へ進む。
［ステップ８２０］　実際に発光させる時の制御絞り値を第１の演算絞り値とし、ステップ８１１以降の動作を進める。
　【０１２１】
　上記ステップ８０８において、ステップ８０７にて算出されたＧｎｏが最低Ｇｎｏ未満であった場合には、前述した様にステップ８１６へ進む。
［ステップ８１６］　制御するＧｎｏを最低Ｇｎｏに設定する。
［ステップ８１７］　最低Ｇｎｏに対応したストロボ発光停止タイミングを演算する。
［ステップ８１８］　最低Ｇｎｏと必要Ｇｎｏとの差分を第２の絞り演算手段３０９により演算し、これに相当する値だけ所定の絞り値より減算する（以下、この絞り値を第２の演算絞り値と記す）。
［ステップ８１９］　ここでは制御絞り値を上記の第２の演算絞り値に設定する。そして、前述したステップ８１１以降の動作を進める。
　【０１２２】
　次に、上記の被写体距離と絞り値との関係を図２８により、又、被写体距離とＧｎｏとの関係を図２９により、それぞれ説明する。
　【０１２３】
　図２７のステップ８０１における被写体距離が図２８，図２９で示すＬ４より遠い場合には、第１の演算絞り値は最大絞り値［ＡＶｍａｘ］となり、所定絞り値［ＡＶ１］より当然大きいので制御絞り値は演算絞り値（つまり最大絞り値［ＡＶｍａｘ］）に、そして、Ｇｎｏはフル発光となる。
　【０１２４】
　また、被写体距離がＬ４からＬ３の範囲にある場合には、第１の演算絞り値は最大絞り値［ＡＶｍａｘ］より小さいが所定絞り値［ＡＶ１］より大きいので、制御絞り値は第１の演算絞り値に、そして、Ｇｎｏはフル発光になる。
　【０１２５】
　また、被写体距離がＬ３からＬ２の範囲にある場合には、第１の演算絞り値は所定絞り値［ＡＶ１］より小さくなるので、制御絞り値は所定絞り値に、そして、Ｇｎｏはフル発光の光量から「所定絞り値−第１の演算絞り値」の差分だけ発光量を制限したストロボ発光量として制御（調光）する。
　【０１２６】
　また、被写体距離がＬ２からＬ１の範囲にある場合には、第１の演算絞り値は所定絞り値［ＡＶ１］より当然小さいが、その分Ｇｎｏを低下させると最低Ｇｎｏよりも小さくなってしまう。そのため、「必要Ｇｎｏ−最低Ｇｎｏ」分だけ所定の絞り値から引いた第２の演算絞り値にて絞り制御を行い、この時のＧｎｏは最低Ｇｎｏにて制御される。
　【０１２７】
　また、被写体距離がＬ１よりも近い範囲にある場合には、制御絞り値は最低絞り値、Ｇｎｏは最低Ｇｎｏにて制御されるが、実際には制御範囲を越えるので露出はオ−バ−になる。
　【０１２８】
　この第６の実施例によれば、測距情報に基づいてストロボ発光時の絞り値を演算し、その絞り値が所定の絞り値より小さい場合にはその差分に相当するだけＧｎｏを下げるという方式において、安定して低下させられる最低Ｇｎｏに達した後は、今度は必要Ｇｎｏから最低Ｇｎｏの差分に相当する値だけ絞り値を小さくする様にしている為、部品やカメラのバラツキ等に左右されること無く、広範囲に渡って適正なストロボ発光量を与えることが可能となる。
　【０１２９】
　（第７の実施例）
　この実施例は、先の第５の実施例の改良型のストロボ調光装置を提案するものであり、詳しくは、先の第５の実施例においては、測距装置より入力される被写体距離情報を基にストロボ発光時の絞り値を算出し、その絞り値が所定の絞り値より小さい場合にはその差分だけＧｎｏを下げる方式のものであったが、実際にはＧｎｏは無制限にしかもリニアリティを保ちながら低下させることは、部品の電気的特性のバラツキ及びカメラのバラツキ等により不可能なことであった。そのため、安定して保証するためには、最低Ｇｎｏと言うものを設定しなければならないが、先の第５実施例ではＧｎｏが安定に下げられる最低Ｇｎｏ以下になった場合の処理については何等施していなかった。そこで、この点を改善すべく実施例として、この第７の実施例を以下に挙げる。
　【０１３０】
　図３０は本発明の第７の実施例における動作を示すフロ−チャ−トであり、回路構成は図２６に示した第６実施例と同様であるので、ここでは省略する。
　【０１３１】
　不図示のレリ−ズボタンの第１ストロ−クがなされることにより、マイクロプロセッサ３０６はステップ９０１からの動作を開始する。
［ステップ９０１］　測距装置３０１を駆動し、該カメラから被写体までの距離測定を開始する。
［ステップ９０２］　予め記憶されている所定のＧｎｏを読み出し、これを設定する。
［ステップ９０３］　第１の絞り演算手段３０４により、上記ステップ９０１において得られた被写体距離情報とステップ９０２により設定された所定のＧｎｏを基にストロボ発光時の絞り値を演算する。
［ステップ９０４］　上記ステップ９０３にて得られた絞り値に対し、フィルム感度検知手段３０２より入力されたフィルム感度にて補正をかける。
［ステップ９０５］　ここでは上記ステップ９０４にて得られた絞り値に対し、レンズ焦点距離検知手段３０３より入力された焦点距離情報にてさらに補正をかけ、絞り値を求める（以下、これを第１の演算絞り値と記す）。
［ステップ９０６］　予め決められている所定の絞り値と第１の絞り演算手段３０４にて演算された第１の演算絞り値とを比較し、第１の演算絞り値が所定絞り値より小さい場合はステップ９０７へ進み、大きい場合にはステップ９２０へ進む。
［ステップ９０７］　ここでは第１演算絞り値と所定絞り値の差分に相当するだけのＧｎｏ分所定のＧｎｏから減算する。
［ステップ９０８］　減算することにより得られる上記Ｇｎｏが最低Ｇｎｏより小さいか否かを判別し、最低Ｇｎｏより小さければステップ９１６へ進み、最低Ｇｎｏ以上であればステップ９０９へ進む。
［ステップ９０９］　ストロボ発光量決定手段３０５により、上記ステップ９０８により得られたＧｎｏとなるストロボ発光停止タイミングを算出する。
［ステップ９１０］　ここでは第１の演算絞り値が所定の絞り値よりも小さい為、実際にストロボ発光させる時の絞り値（以下、制御絞り値と記す）を先程の所定絞り値に変更する。
［ステップ９１１］　上記制御絞り値になる、シャッタ通電開始からストロボ発光開始直前までの時間を演算する。
［ステップ９１２］　ここでは実際にシャッタに通電して該シャッタを開放させる。
［ステップ９１３］　ステップ９１１にて算出された時間経過後にストロボ発光を開始させる。
［ステップ９１４］　ストロボ発光開始からステップ９０９にて決められた時間経過後にストロボ発光を停止させる。
［ステップ９１５］　予め定められた所定時間経過後にシャッタ通電を止め、シャッタを閉じさせる。これにより、露光動作が終了する。
　【０１３２】
　上記ステップ９０６において第１の演算絞り値が所定絞り値より大きい場合には、前述した様にステップ９２０へ進む。
［ステップ９２０］　ここでは第１の演算絞り値と最大開口絞り値との比較を行い、もし最大開口絞り値よりも第１の演算絞り値が小絞りであればステップ９２１へ進み、最大開口絞り値より大絞りであればステップ９２２へ進む。
［ステップ９２１］　第１の演算絞り値が最大開口絞り値よりも小絞りであるので、制御絞り値をこの第１の演算絞り値にし、先のステップ９１１以降の動作を進める。
　【０１３３】
　上記ステップ９２０において最大開口絞り値よりも第１の演算絞り値が大絞りであった場合には、前述したようにステップ９２２へ進む。
［ステップ９２２］　ここでは第１の演算絞り値が最大開口絞り値よりどれだけ大きいかその差分を演算し、この差分に相当する分だけ所定のＧｎｏに加算する。
［ステップ９２３］　上記の加算されたＧｎｏになるようにストロボ発光タイミングを演算する。
［ステップ９２４］　制御絞りを最大開口の絞り値とし、先のステップ９１１以降の動作を進める。
　【０１３４】
　上記ステップ９０８において、ステップ９０７にて算出されたＧｎｏが最低Ｇｎｏ未満であった場合には、前述した様にステップ９１６へ進む。
［ステップ９１６］　制御するＧｎｏを最低Ｇｎｏに設定する。
［ステップ９１７］　最低Ｇｎｏに対応したストロボ発光停止タイミングを演算する。
［ステップ９１８］　最低Ｇｎｏと必要Ｇｎｏとの差分を第２の絞り演算手段３０９により演算し、これに相当する値だけ所定の絞り値より減算する（以下、この絞り値を第２の演算絞り値と記す）。
［ステップ９１９］　ここでは制御絞り値を上記の第２の演算絞り値に設定する。そして、前述したステップ９１１以降の動作を進める。
　【０１３５】
　次に、上記の被写体距離と絞り値との関係を図３１により、又、被写体距離とＧｎｏとの関係を図３２により、それぞれ説明する。
　【０１３６】
　図３０のステップ９０１における被写体距離が図３１，図３２で示すＬ５からＬ２の範囲にある場合には、第１の演算絞り値は所定絞り値［ＡＶ１］より小さくなるので、Ｇｎｏは「所定絞り値−第１の演算絞り値」の差分だけ減算したＧｎｏにて制御される。
　【０１３７】
　また、被写体距離がＬ５からＬ６の範囲にある場合には、第１の演算絞り値は所定絞り値［ＡＶ１］よりも大きいので、制御絞り値は第１の演算絞り値，Ｇｎｏは所定Ｇｎｏにて制御される。
　【０１３８】
　また、被写体距離がＬ６からＬ４の範囲にある場合には、第１の演算絞り値は所定絞り値［ＡＶ１］よりも大きく且つ最大絞り値［ＡＶｍａｘ］よりも大きいので、制御絞り値は最大絞り値［ＡＶｍａｘ］，Ｇｎｏは「最大絞り値−第１の演算絞り値」の分だけ所定Ｇｎｏに加算したＧｎｏにて制御される。
　【０１３９】
　また、被写体距離がＬ４より遠い場合には、Ｌ６からＬ４の範囲の時と同様の処理が行われるが、Ｇｎｏがフル発光時のＧｎｏ以上になるため、制御絞り値は最大絞り値［ＡＶｍａｘ］，Ｇｎｏはフル発光となり、制御範囲を越えてしまっているために露出はアンダ−になる。
　【０１４０】
　また、被写体距離がＬ２からＬ１の範囲にある場合には、第１の演算絞り値は所定絞り値［ＡＶ１］よりも当然小さいがその分Ｇｎｏを低下させると最低Ｇｎｏより小さくなってしまう。そのため、「必要Ｇｎｏ−最低Ｇｎｏ」分だけ所定絞り値から引いた第２の演算絞り値にて絞り制御を行い、ストロボは最低Ｇｎｏにて発光される。
　【０１４１】
　また、被写体距離がＬ１よりも近い範囲にある場合には、制御絞りは最低絞り、ストロボは最低Ｇｎｏにて発光されるが、実際には制御範囲を越えるので露出はオ−バ−になる。
　【０１４２】
　この第７の実施例によれば、測距情報に基づいてストロボ発光時の絞り値を演算し、その絞り値が所定の絞り値より小さい場合にはその差分に相当するだけＧｎｏを下げるという方式において、安定して低下させられる最低Ｇｎｏに達した後は、今度は必要Ｇｎｏから最低Ｇｎｏの差分に相当する値だけ絞り値を小さくする様にしている為、部品やカメラのバラツキ等に左右されること無く、広範囲に渡って適正なストロボ発光量を与えることが可能となる。
　（各請求項と実施例の対応）
　請求項
１
２
３
４
　【０１４３】
　【発明の効果】
　以上説明したように、本発明によれば、調光の為に従来必要であったストロボ反射光を受光して処理する光学系、電気回路、更にはその実装手段を不要とし、コスト、スペ−ス的に有利なものとすると共に、ストロボ反射光を用いないために被写体や背景の反射率に影響されることなく、広範囲にわたって最適な像面光量を与えることができる閃光発光制御装置を提供できるものである。
　【０１４４】
　【０１４５】
　【０１４６】
　【０１４７】
　【０１４８】
【図面の簡単な説明】
　【図１】
　本発明の第１の実施例を含んだカメラの概略構成を示すブロック図である。
　【図２】
　本発明の各実施例におけるストロボ発光量制御手段の構成の一例を示す回路図である。
　【図３】
　図２のストロボ発光量制御手段の動作を示すフロ−チャ−トである。
　【図４】
　図２におけるストロボ発光量とストロボ発光停止時間との関係を示す図である。
　【図５】
　図２におけるストロボＧｎｏとストロボ発光停止時間との関係を示す図である。
　【図６】
　本発明の各実施例におけるストロボ発光量制御手段の構成の他の例を示す回路図である。
　【図７】
　図６のストロボ発光量制御手段の動作を示すフロ−チャ−トである。
　【図８】
　本発明の第１の実施例を備えたカメラの動作を示すフロ−チャ−トである。
　【図９】
　図８における被写体距離，距離コ−ド，Ｇｎｏ，ストロボ発光停止時間それぞれの関係を示す図である。
　【図１０】
　図８における被写体距離とストロボＧｎｏとの関係を示す図である。
　【図１１】
　図８における被写体距離とストロボＧｎｏとの関係の他の例を示す図である。
　【図１２】
　本発明の第２の実施例を備えたカメラの動作を示すフロ−チャ−トである。
　【図１３】
　図１２における被写体距離とストロボＧｎｏとの関係を示す図である。
　【図１４】
　図１２における被写体距離とストロボＧｎｏとの関係の他の例を示す図である。
　【図１５】
　本発明の第３の実施例を備えたカメラの概略構成を示すブロック図である。
　【図１６】
　図１５のカメラにおける動作を示すフロ−チャ−トである。
　【図１７】
　図１６における被写体距離，距離コ−ド，Ｇｎｏ，ストロボ発光停止時間それぞれの関係を示す図である。
　【図１８】
　図１６における距離コ−ドと絞り値との関係を示す図である。
　【図１９】
　本発明の第４の実施例を備えたカメラの概略構成を示すブロック図である。
　【図２０】
　図１９のカメラにおける動作を示すフロ−チャ−トである。
　【図２１】
　図２０における被写体距離と絞り値との関係を示す図である。
　【図２２】
　図２０における被写体距離とＧｎｏとの関係を示す図である。
　【図２３】
　本発明の第５の実施例を備えたカメラの動作を示すフロ−チャ−トである。
　【図２４】
　図２３における被写体距離と絞り値との関係を示す図である。
　【図２５】
　図２３における被写体距離とＧｎｏとの関係を示す図である。
　【図２６】
　本発明の第６の実施例を備えたカメラの概略構成を示すブロック図である。
　【図２７】
　図２６のカメラにおける動作を示すフロ−チャ−トである。
　【図２８】
　図２６における被写体距離と絞り値との関係を示す図である。
　【図２９】
　図２６における被写体距離とＧｎｏとの関係を示す図である。
　【図３０】
　本発明の第７の実施例を備えたカメラの動作を示すフロ−チャ−トである。
　【図３１】
　図３０における被写体距離と絞り値との関係を示す図である。
　【図３２】
　図３０における被写体距離とＧｎｏとの関係を示す図である。
　【符合の説明】
　１，１０１，２０１，３０１　　　測距装置
　２，１０２，２０２，３０２　　　フィルム感度検知手段
　３，１０３，２０３，３０３　　　レンズ焦点距離検知手段
　４，１０４，２０４　　　　　　　絞り値演算手段
　５，１０５，２０５，３０５　　　ストロボ発光量決定手段
　６，１０６，２０６，３０６　　　マイクロプロセッサ
　７，１０７，２０７，３０７　　　絞り制御手段
　８，１０８，２０８，３０８　　　ストロボ発光量制御手段
　３０４　　　　　　　　　　　　　第１の絞り演算手段
　３０９　　　　　　　　　　　　　第２の絞り演算手段